(57)【特許請求の範囲】
【請求項１】
コミュテータと前記コミュテータに摺接する複数のブラシとを備えたブラシ付き電動モータであって、
一端が開口する有底筒状に形成され、内面に界磁部が設けられるモータケースと、
前記モータケースの内部に装着され、前記複数のブラシを保持するブラシホルダと、
前記モータケースに回転自在に支持され、前記コミュテータが固定されるアマチュア軸と、
前記アマチュア軸の軸方向で前記ブラシホルダの端部に一体に形成された板状のベース部と、
前記ベース部に設けられ、かつ、前記アマチュア軸が挿入された貫通孔と、
それぞれ前記コミュテータに接続され、前記アマチュア軸とともに回転する複数のアマチュアコイルと、
前記モータケースの開口端に取り付けられ、該モータケースの開口を閉塞するエンドケースと、
前記ブラシホルダに対して前記軸方向に重ねて配置され前記モータケースと前記エンドケースとに挟持固定され、かつ、前記アマチュア軸の径方向でそのアマチュア軸よりも外側に設けた環状の挟持部と、該挟持部と一体に形成され前記モータケースの外側に配置される給電用のコネクタ部とを備えたコネクタユニットと、
前記コネクタ部に設けられた複数の電源接続端子と、
前記ブラシホルダに設けられ、それぞれ対応する前記ブラシに電気的に接続される複数のブラシ側接続端子と、
前記コネクタユニットに設けられ、前記複数の電源接続端子に一方の端子がそれぞれ電気的に接続されるとともに前記挟持部が前記ベース部に対して前記軸方向に重ねて配置されたときに対応する前記複数のブラシ側接続端子に電気的に接続される複数のコネクタ側接続端子とを有し、
前記挟持部を前記モータケースの開口端に設けられたフランジ部と前記エンドケースとで挟持固定するとともに、複数の前記コネクタ側接続端子の他方の端部を、前記アマチュア軸の径方向で前記挟持部よりも内側に配置することを特徴とするブラシ付き電動モータ。
【請求項２】
請求項１に記載のブラシ付き電動モータにおいて、前記軸方向で前記ブラシホルダの端部を前記モータケースの内面に設けられる段差部に当接させて該モータケースの内部に位置決めし、前記ブラシホルダを前記コネクタユニットと前記モータケースとの間で挟持することを特徴とするブラシ付き電動モータ。
【請求項３】
請求項１に記載のブラシ付き電動モータにおいて、前記ブラシホルダの側面を前記モータケースの内面に圧入して該モータケースの内部に位置決めすることを特徴とするブラシ付き電動モータ。
【請求項４】
請求項１〜３のいずれか１項に記載のブラシ付き電動モータにおいて、前記挟持部における前記モータケース側面または前記エンドケース側面には前記モータケースと前記エンドケースとの間に挟み込まれるシール部材を有することを特徴とするブラシ付き電動モータ。
【請求項５】
請求項１〜４のいずれか１項に記載のブラシ付き電動モータにおいて、前記エンドケースは、ウォームを備えたウォーム軸と前記ウォームに噛み合うウォームホイルとからなる減速機構を収容するギヤケースであり、前記ウォーム軸は前記ギヤケースが前記モータケースに取り付けられたときに前記アマチュア軸に連結されることを特徴とするブラシ付き電動モータ。
【請求項６】
請求項１〜４のいずれか１項に記載のブラシ付き電動モータにおいて、前記エンドケースは、前記アマチュア軸に一体に形成されるウォームと該ウォームに噛み合うウォームホイルとからなる減速機構を収容するギヤケースであることを特徴とするブラシ付き電動モータ。
【発明の詳細な説明】
【技術分野】
【０００１】
本発明は、ブラシとコミュテータとを介してアマチュアコイルに電流を供給するようにしたブラシ付き電動モータに関する。
【背景技術】
【０００２】
従来から、車両に設けられるパワーウインド装置やサンルーフ装置等の駆動源としてはモータ本体と減速機とを１つのユニットとした減速機付き電動モータが用いられ、モータ本体としてはブラシとコミュテータとを介してアマチュアコイルに電流を供給するようにしたブラシ付き電動モータが多く用いられている。
【０００３】
ブラシ付き電動モータは内周面に一対のマグネットが固定されるモータケース（ヨーク）を備え、このモータケースの内部にはアマチュア軸を備えたアマチュアが回転自在に収容される。アマチュアには複数のアマチュアコイルが設けられ、これらのアマチュアコイルに電流を供給するために、アマチュア軸にはコミュテータ（整流子）が固定され、モータケースに装着されるブラシホルダには一対のブラシが保持されている。各ブラシはコミュテータの外周に摺接しており、各ブラシが電源に接続されると、ブラシとコミュテータとを介して各アマチュアコイルに所定のタイミングで電流が供給され、アマチュアが回転するようになっている。
【０００４】
このような電動モータには、各ブラシを電源に接続するために、給電用のコネクタ部が設けられ、このコネクタ部を電源側の外部コネクタに接続することにより、ブラシに電流が供給されるようになっている。
【０００５】
例えば特許文献１には、樹脂製のブラシホルダに給電用のコネクタ部を一体に形成し、ブラシホルダをモータケースの開口端と減速機のギヤケースとの間に挟み込んで固定するとともにコネクタ部をモータケースとギヤケースとの間からモータケースの外部に突出させるようにした電動モータが記載されている。
【特許文献１】特開２００１−３４６３５５号公報
【発明の開示】
【発明が解決しようとする課題】
【０００６】
パワーウインドモータ等の電動モータを複数の車種に対応させるためには、車体側に設けられる外部コネクタの形状や差し込み方向に応じてコネクタ部の仕様が相違する複数仕様のモータを用意する必要がある。
【０００７】
しかしながら、特許文献１に示される電動モータでは、コネクタ部を樹脂材料によりブラシホルダと一体に形成するようにしているので、外部コネクタの仕様に対応させてコネクタ部の仕様が相違する複数種類のブラシホルダを用意する必要がある。そのため、各ブラシホルダに対応した複数の金型を用意しなければならず、このブラシ付き電動モータのコストが増加することになる。
【０００８】
また、コネクタ部とブラシホルダとを一体に形成するためには、上下型の他に多数のスライド型が必要になってブラシホルダを樹脂成形するための金型の形状が複雑化する上、金型自体も大型化して金型の費用も増加することになる。
【０００９】
本発明の目的は、コネクタ部の仕様違いに対するブラシホルダの汎用性を高めてブラシ付き電動モータのコストを低減することにある。
【課題を解決するための手段】
【００１０】
本発明のブラシ付き電動モータは、コミュテータと前記コミュテータに摺接する複数のブラシとを備えたブラシ付き電動モータであって、一端が開口する有底筒状に形成され、内面に界磁部が設けられるモータケースと、前記モータケースの内部に装着され、前記複数のブラシを保持するブラシホルダと、前記モータケースに回転自在に支持され、前記コミュテータが固定されるアマチュア軸と、前記アマチュア軸の軸方向で前記ブラシホルダの端部に一体に形成された板状のベース部と、前記ベース部に設けられ、かつ、前記アマチュア軸が挿入された貫通孔と、それぞれ前記コミュテータに接続され、前記アマチュア軸とともに回転する複数のアマチュアコイルと、前記モータケースの開口端に取り付けられ、該モータケースの開口を閉塞するエンドケースと、前記ブラシホルダに対して前記軸方向に重ねて配置され前記モータケースと前記エンドケースとに挟持固定され、かつ、前記アマチュア軸の径方向でそのアマチュア軸よりも外側に設けた環状の挟持部と、該挟持部と一体に形成され前記モータケースの外側に配置される給電用のコネクタ部とを備えたコネクタユニットと、前記コネクタ部に設けられた複数の電源接続端子と、前記ブラシホルダに設けられ、それぞれ対応する前記ブラシに電気的に接続される複数のブラシ側接続端子と、前記コネクタユニットに設けられ、前記複数の電源接続端子に一方の端子がそれぞれ電気的に接続されるとともに前記挟持部が前記ベース部に対して前記軸方向に重ねて配置されたときに対応する前記複数のブラシ側接続端子に電気的に接続される複数のコネクタ側接続端子とを有し、前記挟持部を前記モータケースの開口端に設けられたフランジ部と前記エンドケースとで挟持固定するとともに、複数の前記コネクタ側接続端子の他方の端部を、前記アマチュア軸の径方向で前記挟持部よりも内側に配置することを特徴とする。
【００１２】
本発明のブラシ付き電動モータは、前記ブラシホルダの軸方向端部を前記モータケースの内面に設けられる段差部に当接させて該モータケースの内部に位置決めし、前記ブラシホルダを前記コネクタユニットと前記モータケースとの間で挟持することを特徴とする。
【００１３】
本発明のブラシ付き電動モータは、前記ブラシホルダの側面を前記モータケースの内面に圧入して該モータケースの内部に位置決めすることを特徴とする。
【００１４】
本発明のブラシ付き電動モータは、前記挟持部における前記モータケース側面または前記エンドケース側面には前記モータケースと前記エンドケースとの間に挟み込まれるシール部材を有することを特徴とする。
【００１５】
本発明のブラシ付き電動モータは、前記エンドケースは、ウォームを備えたウォーム軸と前記ウォームに噛み合うウォームホイルとからなる減速機構を収容するギヤケースであり、前記ウォーム軸は前記ギヤケースが前記モータケースに取り付けられたときに前記アマチュア軸に連結されることを特徴とする。
【００１６】
本発明のブラシ付き電動モータは、前記エンドケースは、前記アマチュア軸に一体に形成されるウォームと該ウォームに噛み合うウォームホイルとからなる減速機構を収容するギヤケースであることを特徴とする。
【発明の効果】
【００１７】
本発明によれば、給電用のコネクタ部を備えたコネクタユニットをブラシホルダとは別体に形成するようにしたので、外部コネクタの仕様違いに対して、ブラシホルダの仕様はそのままにコネクタユニットの仕様のみを換えて対応することができる。これにより、ブラシホルダの汎用性が高められ、このブラシ付き電動モータのコストを低減することができる。
【発明を実施するための最良の形態】
【００１８】
以下、本発明の実施の形態を図面に基づいて詳細に説明する。
【００１９】
図１は本発明の一実施の形態であるパワーウインドモータの横断面図であり、ブラシ付き電動モータとしてのパワーウインドモータ１１は、図示しない車両に設けられるパワーウインド装置の駆動源として用いられるものであり、車体のドアの内部に装着されてレギュレータを介してウインドガラスを開閉駆動する。
【００２０】
このパワーウインドモータ１１は、モータ本体１２とフレームユニット１３とを備えており、これらが１つのユニットとして組まれた減速機付き電動モータとなっている。
【００２１】
図２は図１に示すモータ本体の詳細を示す斜視図であり、図３は図１に示すブラシユニットの詳細を示す斜視図であり、図４はブラシホルダのモータヨークの内部への位置決め構造を示す断面図である。
【００２２】
図１、図２に示すように、モータ本体１２のステータ１４はモータケースとしてのモータヨーク１５を備えている。モータヨーク１５は導体である鋼板をプレス装置等により絞り加工することにより、断面が略小判形であってその軸方向の一端が開口し他端が底壁部１５ａにより閉塞された有底筒状に形成されており、その開口端には径方向に突出するフランジ部１５ｂが設けられている。小判形のモータヨーク１５は円弧面１５ｅと平坦面１５ｆとからなり、円弧面１５ｅの内面には、図１に示すように、界磁部としての一対のマグネット１６が互いに同極を向かい合わせて固定されており、各マグネット１６の背面に位置する異極がモータヨーク１５の円弧面１５ｅと平坦面１５ｆを磁路として平坦面１５ｆにまで至ることで、平坦面１５ｆには擬似的な異極が形成され、モータヨーク１５とこれらのマグネット１６により、モータヨーク１５には磁界が形成されるようになっている。なお、フランジ部１５ｂには３箇所のねじ孔１５ｄが開設されている。
【００２３】
なお、図示する場合では、モータケースとして、鋼板を絞り加工して形成される容器状のモータヨーク１５を用いるようにしているが、これに限らず、例えば鋼板により筒状に形成されたヨーク本体の一端を樹脂等により形成される蓋部材により閉塞して容器状としたものをモータケースとして用いるようにしてもよい。
【００２４】
モータヨーク１５の内部にはアマチュア１７（電機子）が収容されており、このアマチュア１７はアマチュア軸１８を備え、このアマチュア軸１８はその一端においてモータヨーク１５の底壁部１５ａの軸受支持部１５ｃに設けられる軸受２１によりラジアル方向が軸支され、軸受支持部１５ｃの内面側に配されたスチールプレート２１ａとアマチュア軸１８とスチールプレート２１ａの間に配されたスチールボール２１ｂによってスラスト方向が軸支されることでアマチュア軸１８は当該モータヨーク１５に回転自在に支持されている。
【００２５】
アマチュア軸１８にはマグネット１６による磁界の内部に位置するようにアマチュアコア１９が固定されている。アマチュアコア１９は導体である板状鋼材を軸方向に積層することにより円柱状に形成されており、その外周に開口する複数のスロット１９ａが周方向に並べて設けられている。各スロット１９ａには複数のアマチュアコイル２２が重ね巻により装着されており、これらのアマチュアコイル２２はアマチュアコア１９つまりアマチュア軸１８とともに回転するようになっている。
【００２６】
アマチュア軸１８にはアマチュアコア１９に対して軸方向に隣接してコミュテータ（整流子）２３が固定されている。コミュテータ２３は周方向に並ぶ複数のセグメント片（整流子片）２３ａを備えており、各セグメント片２３ａにはそれぞれ対応するアマチュアコイル２２のコイル端が電気的に接続されている。
【００２７】
モータヨーク１５の内部には、コミュテータ２３を介して各アマチュアコイル２２に駆動電流を供給するために、ブラシユニット２４が装着されている。図３に示すように、このブラシユニット２４は樹脂製のブラシホルダ２５とブラシホルダ２５に保持される一対のブラシ２６とを備えている。
【００２８】
このブラシホルダ２５は樹脂材料を射出成形して形成されており、図３に示すように、モータヨーク１５の開口の内面形状に合わせた略小判形の外形に形成される環状のリング部２５ａと、アマチュア軸１８の軸方向でリング部２５ａの端部に一体に形成される板状のベース部２５ｂとを備えている。そして、ブラシホルダ２５は、ベース部２５ｂが外側を向くようにリング部２５ａの側からモータヨーク１５の内部に挿入されることによりモータヨーク１５の内部に装着される。
【００２９】
リング部２５ａの外周には軸方向（アマチュア軸１８に平行な方向）に延びるとともに径方向外側に所定の高さで突出する複数のリブ２７が設けられており、図４に示すように、ブラシホルダ２５はこれらのリブ２７がモータヨーク１５の円弧面１５ｅと平坦面１５ｆにおける内面に摺接するようにモータヨーク１５に装着される。このとき、各リブ２７は、モータヨーク１５の内面に接することにより、径方向内側に若干弾性変形する。これにより、ブラシホルダ２５はモータヨーク１５の内面に軽圧入により装着されることになり、ブラシホルダ２５がモータヨーク１５から不用意に離脱することが防止される。また、図４に示すように、モータヨーク１５の円弧面１５ｅにおける内面には絞り加工により開口端から所定深さに位置して軸方向に垂直な当接面２８ａを備える段差部２８が設けられており、ブラシホルダ２５はリング部２５ａの軸方向端部が当該段差部２８つまり当接面２８ａに当接することにより、ベース部２５ｂがモータヨーク１５の開口端のフランジ部１５ｂとほぼ面一となるように、モータヨーク１５の内部に軸方向に位置決めされるようになっている。
【００３０】
なお、図示する場合では、ブラシホルダ２５をモータヨーク１５に設けられる段差部２８の当接面２８ａに当接させて当該モータヨーク１５の内部に位置決めするようにしているが、これに限らず、例えば、各リブ２７の径方向外側への突出量を増すこと等により、ブラシホルダ２５をモータヨーク１５の内部に圧入により装着するようにして、当該圧入によりブラシホルダ２５をモータヨーク１５の内部に位置決めするようにしてもよい。
【００３１】
図２、図３に示すように、ベース部２５ｂの軸心には貫通孔３１が設けられており、この貫通孔３１には軸受（メタル軸受）３２が装着され、アマチュア軸１８の他端側はこの軸受３２により回転自在に支持されるようになっている。このように、モータヨーク１５にブラシホルダ２５が装着されると、アマチュア軸１８はその一端がモータヨーク１５の底壁部１５ａに回転自在に支持されるとともにその他端側がブラシホルダ２５に回転自在に支持されるようになっている。これにより、モータ本体１２に後述するフレームユニット１３が取り付けられなくても、アマチュア１７はモータヨーク１５の内部で回転自在となり、一対のブラシ２６に電源を供給することでモータ本体１２を単体で作動させることができる。
【００３２】
図３に示すように、一対のブラシ２６は互いにアマチュア軸１８の回転方向に９０度ずれて配置されており、それぞれリング部２５ａにおいてブラシホルダ２５に保持されるようになっている。そして、モータヨーク１５にブラシホルダ２５が装着されると、図１に示すように、コミュテータ２３はブラシホルダ２５のリング部２５ａの内側に配置され、一対のブラシ２６はそれぞれコミュテータ２３（セグメント片２３ａ）の外周面に摺接するようになっている。また、各ブラシ２６はそれぞれコミュテータ２３に接近・離反する方向に進退移動自在となっており、それぞれリング部２５ａに装着されるスプリング３３によって付勢されてコミュテータ２３の外周面に弾性的に摺接するようになっている。
【００３３】
図５は図１に示すフレームユニット１３の詳細を示す斜視図であり、図６は図５に示すコネクタユニット４２の詳細を示す斜視図である。
【００３４】
図５に示すように、フレームユニット１３は減速機４１とコネクタユニット４２とを有しており、減速機４１にコネクタユニット４２が装着されるとフレームユニット１３として構成されるようになっている。
【００３５】
減速機４１はエンドケースとしてのギヤケース４３を有している。このギヤケース４３は樹脂材料の射出成形により所定の形状に形成され、モータヨーク１５の開口を閉塞する面には、コネクタユニット４２を装着する際のガイドとなるガイド部４３ａとガイド部４３ｂとが設けられている。また、ギヤケース４３にはモータヨーク１５の３箇所のねじ孔１５ｄに対向して３箇所のねじ孔４３ｃが設けられている。なお、符号４３ｄは各ねじ孔４３ｃの孔奥位置に図示しないにナット部材を挿入するためのナット孔である。そして、モータヨーク１５の開口端つまりフランジ部１５ｂに設けられた各ねじ孔１５ｄから締結部材（ボルト等）４４を挿入し、ギヤケース４３の各ねじ孔４３ｃを介してナット孔４３ｄ内の図示しないナットと締結してモータヨーク１５の開口を閉塞するようになっている。
【００３６】
図１に示すように、ギヤケース４３の内部には減速機構４５が収容されている。この減速機構４５はいわゆるウォームギヤ機構となっており、ウォーム軸４６とウォームホイル４７とを有している。
【００３７】
ウォーム軸４６はその両端部を軸受４８，４９によりラジアル方向が軸支されてギヤケース４３に回転自在に収容されており、その外周にはウォーム４６ａが一体に形成されている。また、ウォーム軸４６の軸受４９側の端面には凹部が形成され、その内部にスチールボール４９ａが設けられており、ギヤケース４３側に配されたスラストプレート４９ｂによってスラスト方向が軸支されている。ウォーム軸４６をアマチュア軸１８に連結するために、ウォーム軸４６のギヤケース４３の開口側に位置する一端には連結孔４６ｂが設けられ、アマチュア軸１８の先端には連結凸部１８ａが設けられている。減速機構４５を収容したギヤケース４３つまりフレームユニット１３がモータ本体１２のモータヨーク１５に取り付けられると、ウォーム軸４６の連結孔４６ｂにアマチュア軸１８の先端に設けられる連結凸部１８ａが差し込まれ、これにより、ウォーム軸４６はアマチュア軸１８に連結されるようになっている。
【００３８】
ウォームホイル４７は出力軸５１の軸心に固定されてギヤケース４３に回転自在に収容されており、このウォームホイル４７の外周部はウォーム４６ａに噛み合わされている。これにより、アマチュア軸１８が回転すると、その回転がウォーム軸４６つまりウォーム４６ａとウォームホイル４７とにより所定の回転数にまで減速されて出力軸５１から出力される。
【００３９】
詳細は図示しないが、出力軸５１の先端部分はギヤケース４３から突出しており、出力軸５１のギヤケース４３から突出した先端部分には、図示しないピニオン等が設けられ、図示しないパワーウインド装置のレギュレータと連結されている。
【００４０】
一方、コネクタユニット４２は樹脂材料の射出成形により形成される樹脂製となっており、図６に示すように、挟持部５２とこれと一体に形成される給電用のコネクタ部５３とを備えている。
【００４１】
挟持部５２は、ブラシホルダ２５のベース部２５ｂの外形形状に合わせた略小判形の外形を有する環状に形成されており、アマチュア軸１８の径方向で挟持部５２よりも内側には当該挟持部５２と一体にアマチュア軸１８の軸方向に垂直な平板状の平板部５４が設けられている。この平板部５４にはギヤケース４３の側に向けて軸方向に突出する一対のスカート部５５，５６が一体に設けられており、挟持部５２がガイド部４３ａによってガイドされるとともに、これらのスカート部５５，５６がギヤケース４３の開口に挿入されることにより、コネクタユニット４２はギヤケース４３に装着されるようになっている。
【００４２】
各スカート部５５，５６の外周には、それぞれ軸方向に延びるとともに径方向外側に所定の高さで突出する複数のリブ５７が設けられ、スカート部５５，５６はこれらのリブ５７がギヤケース４３の内面に接して径方向に若干弾性変形するようにギヤケース４３に挿入される。これにより、コネクタユニット４２はギヤケース４３に軽圧入により装着されることになり、ギヤケース４３から不用意に離脱することがない。
【００４３】
平板部５４の軸心には貫通孔５８が設けられ、モータ本体１２にフレームユニット１３が組み付けられたときには、アマチュア軸１８はこの貫通孔５８を貫通してウォーム軸４６に連結される。
【００４４】
コネクタユニット４２の一方のスカート部５５の内側には、平板部５４から所定距離離れるとともに当該平板部５４と平行にセンサ基板６１が装着されている。このセンサ基板６１には回転センサとして一対のホールセンサ６２が搭載されており、これらのホールセンサ６２はアマチュア軸１８に固定されるリングマグネット６３と軸方向に対向するよう配置されている。このリングマグネット６３は周方向に等間隔に並ぶ複数の磁極を有しており、これにより、アマチュア軸１８が回転すると各ホールセンサ６２からアマチュア軸１８の回転数に反比例した周期のパルス信号が出力されるようになっている。また、ホールセンサ６２は互いに回転方向に位相を９０度ずらして配置されており、これにより、各ホールセンサ６２から出力されるパルス信号の発生順に基づいてアマチュア軸１８の回転方向を検出することができるようになっている。
【００４５】
なお、各ホールセンサ６２はコネクタユニット４２にインサート成形により埋設された図示しないリード板によりコネクタ部５３に配置される図示しないセンサ用端子を介して図示しない外部コネクタに接続されており、各ホールセンサ６２が出力するパルス信号は外部コネクタを介して図示しないモータ制御用の制御装置に入力される。そして、制御装置は、入力されたパルス信号から認識されるアマチュア軸１８の回転速度や回転方向に基づいて、モータ本体１２の作動を制御するようになっている。
【００４６】
フレームユニット１３がモータ本体１２に取り付けられると、フレームユニット１３の平板部５４はブラシホルダ２５のベース部２５ｂに軸方向に重ねて配置される。これにより、ブラシホルダ２５は平板部５４とモータヨーク１５の段差部２８との間に挟持固定される。
【００４７】
ここで、図２に示すように、ブラシホルダ２５のベース部２５ｂにはギヤケース４３の側に向けて開口する３つの係合孔６４が設けられ、図５に示すように、コネクタユニット４２の平板部５４にはモータ本体１２の側に向けて突出する３つの係合突起６５が一体に設けられている。そして、コネクタユニット４２に設けられる係合突起６５がブラシホルダ２５に設けられる対応する係合孔６４に係合することにより、挟持部５２はブラシホルダ２５に対して位置決めされるようになっている。
【００４８】
挟持部５２には、これを覆うように環状のシール部材６６が装着されている。このシール部材６６の材質は、例えば合成ゴム等のエラストマ材とされており、２色成形により挟持部５２と一体的に形成されている。そして、モータ本体１２にフレームユニット１３が組み付けられたときには、このシール部材６６はモータヨーク１５のフランジ部１５ｂと挟持部５３との間、及び、ギヤケース４３と挟持部５３との間に挟み込まれるようになっている。つまり、挟持部５２はシール部材６６を介してモータヨーク１５のフランジ部１５ｂとギヤケース４３との間にも挟持固定（挟み込まれて固定）されるようになっている。これにより、モータヨーク１５とギヤケース４３との間に挟持部５２を挟み込んでコネクタユニット４２を固定する構造としても、シール部材６６がモータヨーク１５のフランジ部１５ｂとギヤケース４３の開口端とに接することにより、その挟持部分からの雨水や埃等の異物が侵入することを防止することができる。
【００４９】
なお、図示する場合では、シール部材６６を２色成形により挟持部５２と一体的に形成するようにしているが、これに限らず、挟持部５２とは別体に形成されたシール部材６６をモータヨーク１５のフランジ部１５ｂと挟持部５３との間、及び、ギヤケース４３と挟持部５３との間に位置するように挟持部５２に取り付けるようにしてもよい。
【００５０】
一方、コネクタ部５３は、図１、図６に示すように、一端が開口する断面矩形の箱形に形成されており、モータヨーク１５とギヤケース４３との間から突出する連結部６７を介して挟持部５２と一体に形成されている。また、コネクタ部５３はギヤケース４３に隣接するようにギヤケース４３やモータヨーク１５の外側に配置されており、車両側に設けられる外部コネクタ（不図示）に接続されるようになっている。なお、コネクタユニット４２がギヤケース４３に装着される際に、連結部６７はガイド部４３ｂによってガイドされるとともに所定位置に位置決めされるようになっている。
【００５１】
コネクタユニット４２には、例えば銅板等の導電性を有する板材により形成される一対のリード板がインサート成形により埋設されており、これらのリード板の一端がコネクタ部５３の内部に突出することにより、当該コネクタ部５３の内部には一対の電源接続端子７１が設けられている。そして、コネクタ部５３に外部コネクタが接続されると、各電源接続端子７１は外部コネクタを介して制御装置に接続されるようになっている。
【００５２】
コネクタユニット４２に埋設された前述の一対のリード板の他端は挟持部５２の内側において平板部５４からモータヨーク１５が取り付けられる側の軸方向に突出しており、これにより、図５に示すように、挟持部５２の内側には一対のコネクタ側接続端子７２が設けられている。これらのコネクタ側接続端子７２は、それぞれ平板部５４からブラシホルダ２５の側に向けて軸方向に突出しており、互いに並んだ状態で配置されている。
【００５３】
なお、図示する場合では、コネクタ側接続端子７２は電源接続端子７１とともにリード板により形成されて電源接続端子７１に電気的に接続された状態とされているが、これに限らず、コネクタ側接続端子７２と電源接続端子７１とを別体に形成し、これらをリード板により電気的に接続するようにしてもよい。
【００５４】
一方、図２に示すように、ブラシホルダ２５にはコネクタユニット４２のコネクタ側接続端子７２に対向して一対のブラシ側接続端子７３が設けられている。
【００５５】
これらのブラシ側接続端子７３は、例えば銅板等の導電性を有する板材により形成されており、それぞれ断面矩形の接続孔７３ａを備えている。これらの接続孔７３ａはコネクタ側接続端子７２に対応した大きさに形成されており、各ブラシ側接続端子７３はこれらの接続孔７３ａがギヤケース４３の側に向けて開口するようにブラシホルダ２５のベース部２５ｂに並べて固定されている。また、図３に示すように、ブラシ側接続端子７３には板状の接続部７３ｂが設けられており、これらの接続部７３ｂはそれぞれリード板７４，７５を介して対応するブラシ２６に電気的に接続されている。
【００５６】
なお、過電流からアマチュアコイル２２を保護するために、一方のリード板７４とブラシ２６との間にはサーキットブレーカ７６が接続されている。
【００５７】
図７はブラシ側接続端子７３とコネクタ側接続端子７２との接続部分の詳細を示す断面図であり、挟持部５２がブラシホルダ２５に軸方向に重ねて配置されると、コネクタ側接続端子７２は対応するブラシ側接続端子７３の接続孔７３ａに挿通され、当該ブラシ側接続端子７３に電気的に接続される。これにより、外部コネクタを介して制御装置から供給される駆動電流を、コネクタ部５３の電源接続端子７１、コネクタ側接続端子７２およびブラシ側接続端子７３を介して各ブラシ２６に供給することができる。
【００５８】
図８は図１に示すパワーウインドモータ１１の製造工程を示す工程図であり、図９（ａ）、（ｂ）はそれぞれモータ本体の組み立て工程を示す図であり、図１０（ａ）、（ｂ）はそれぞれフレームユニット１３の組み立て工程を示す図であり、図１１（ａ）、（ｂ）はそれぞれモータ本体１２とフレームユニット１３の組み付け工程を示す図である。
【００５９】
次に、図８〜図１１に基づいて、このパワーウインドモータ１１の製造方法について説明する。
【００６０】
図８に示すように、このパワーウインドモータ１１の製造方法では、モータ本体１２とフレームユニット１３は互いに別々の製造ラインで、つまりモータ本体１２の製造工程とフレームユニット１３の製造工程とが並行に進められるパラレル方式により製造される。
【００６１】
図９（ａ）に示すように、モータ本体１２の製造工程においては、まず、ステータ組み立て工程において、モータヨーク１５の内面に一対のマグネット１６が装着されるとともに、モータヨーク１５の底壁部１５ａに設けられた軸受支持部１５ｃに軸受２１が保持されてステータ１４が組み立てられる。次に、アマチュア組み立て工程において、アマチュア軸１８にコミュテータ２３とアマチュアコア１９とが固定されるとともにアマチュアコア１９にアマチュアコイル２２が巻装され、そのコイル端がコミュテータ２３に接続されてアマチュア１７が組み立てられる。次に、ブラシユニット組み立て工程において、樹脂成形されたブラシホルダ２５に一対のブラシ２６とスプリング３３、ブラシ側接続端子７３などが取り付けられ、ブラシユニット２４が組み立てられる。そして、ステータ１４とアマチュア１７とブラシユニット２４に加えリングマグネット６３が用意されると、次に、モータ本体組み立て工程において、ステータ１４にアマチュア１７とブラシユニット２４とが組み付けられるとともにアマチュア軸１８にリングマグネット６３が固定されて、図９（ｂ）に示すように、モータ本体１２が完成する。なお、軸受２１は予めアマチュア軸１８の端部に固定するように構成することもできる。
【００６２】
一方、図１０（ａ）に示すように、フレームユニット１３の製造工程においては、まず、ギヤケース組み立て工程において、ギヤケース４３が組み立てられる。次に、減速機構組み付け工程において、ギヤケース４３にウォーム軸４６とウォームホイル４７からなる減速機構４５や出力軸５１が組み付けられて減速機４１が組み立てられる。このように、ギヤケース組み立て工程と減速機構組み付け工程とにより減速機４１が製造される。次に、コネクタユニット製造工程において、樹脂材料によりリード板をインサート成形することにより、電源接続端子７１を備えたコネクタ部５３とコネクタ側接続端子７２を備えた平板部５４と挟持部５２とを形成し、これにセンサ基板６１を組み付けてコネクタユニット４２が組み立てられる。そして、減速機４１とコネクタユニット４２が用意されると、次に、フレームユニット組み立て工程において、減速機４１にコネクタユニット４２が装着されて、図１０（ｂ）に示すように、フレームユニット１３が完成する。
【００６３】
図１１（ａ）に示すように、モータ本体組み立て工程により製造されたモータ本体１２とフレームユニット組み立て工程により製造されたフレームユニット１３とが用意されると、次に、パワーウインドモータ組み立て工程において、モータヨーク１５とギヤケース４３との間にコネクタユニット４２の挟持部５２を挟持する（挟み込む）ように、モータ本体１２のフランジ部１５ｂに減速機４１のギヤケース４３が固定される。このとき、モータヨーク１５の内面に軽圧入されたブラシホルダ２５もモータヨーク１５の段差部２８と平板部５４との間に挟持固定される。
【００６４】
そして、ウォーム軸４６に設けられる連結孔４６ｂにアマチュア軸１８に設けられる連結凸部１８ａが差し込まれて、ウォーム軸４６はアマチュア軸１８に連結される。また、コネクタユニット４２に設けられるコネクタ側接続端子７２がブラシホルダ２５に設けられるブラシ側接続端子７３に電気的に接続され、各ブラシ２６は外部コネクタに接続されるコネクタ部５３の電源接続端子７１に電気的に接続される。
【００６５】
これにより、モータ本体１２にフレームユニット１３が組み付けられ、パワーウインドモータ１１が完成する。
【００６６】
図１２はコネクタ部の仕様が相違する２種類のパワーウインドモータ１１の製造方法について説明する図である。
【００６７】
このパワーウインドモータ１１では、給電用のコネクタ部５３を備えたコネクタユニット４２をブラシホルダ２５とは別体に形成し、このコネクタユニット４２を減速機４１とモータ本体１２との間に挟み込んで固定するようにしたので、外部コネクタの仕様違いに対して、ブラシホルダ２５の仕様はそのままにコネクタユニット４２の仕様のみを換えることで容易に対応することができる。
【００６８】
例えば、図１２に示すように、コネクタ部５３の差し込み方向が相違する２つの仕様のパワーウインドモータ１１を製造する際には、減速機４１とモータ本体１２つまりブラシホルダ２５は同一の仕様のものを用い、コネクタユニット４２としてコネクタ部５３の仕様が相違する２種類を用意することにより、２つの仕様のパワーウインドモータ１１を容易に製造することができる。
【００６９】
このように、このパワーウインドモータ１１では、給電用のコネクタ部５３を備えたコネクタユニット４２をブラシホルダ２５とは別体に形成するようにしたので、外部コネクタに合わせてコネクタ部５３の仕様が相違する複数種類のパワーウインドモータ１１を製造する際にも、これらに共通の仕様のブラシホルダ２５を用いることができる。したがって、外部コネクタの仕様違いに対するブラシホルダ２５の汎用性を高めて、このパワーウインドモータ１１のコストを低減することができる。
【００７０】
また、このパワーウインドモータ１１では、コネクタユニット４２の挟持部５２をブラシホルダ２５のベース部２５ｂに軸方向に重ねて配置することにより、ブラシホルダ２５に設けられるブラシ側接続端子７３とコネクタユニット４２に設けられるコネクタ側接続端子７２とが電気的に接続されて各ブラシ２６がコネクタ部５３に設けられる電源接続端子７１に接続されるようにしたので、コネクタユニット４２とブラシホルダ２５とを別体とした構成としても、簡単な構成で各ブラシ２６と電源接続端子７１とを電気的に接続することができる。
【００７１】
一方、このパワーウインドモータ１１では、モータ本体１２のアマチュア軸１８は減速機４１のウォーム軸４６と連結されるように当該ウォーム軸４６から分割されており、また、モータ本体１２が完成したときにはモータヨーク１５とブラシホルダ２５とにより回転自在に支持されるので、モータ本体１２にフレームユニット１３が取り付けられなくても、アマチュア軸１８つまりアマチュア１７は回転可能な状態となる。また、ブラシホルダ２５には、それぞれブラシ２６に電気的に接続される一対のブラシ側接続端子７３がブラシホルダ２５から外部に露出する状態で設けられている。したがって、これらのブラシ側接続端子７３に直接に電源を接続することにより、モータ本体１２を単体で作動させることができる。
【００７２】
このように、このパワーウインドモータ１１では、モータ本体１２は減速機４１やコネクタユニット４２が取り付けられなくても、単体で作動可能な１つのユニットとして構成されるので、図８に示すように、モータ本体１２をフレームユニット１３とは別の製造ラインで製造することができる。したがって、コネクタ部５３の仕様が相違する複数種類のパワーウインドモータ１１を製造する場合であっても、これら全ての仕様に用いられるモータ本体１２を一極生産により効率よく製造することができる。
【００７３】
また、このパワーウインドモータ１１では、モータ本体１２はコネクタ部５３を有していない小形で簡素な形状となるので、このモータ本体１２をフレームユニット１３との組み立て拠点に輸送する際の輸送コストを低減することができる。
【００７４】
さらに、このパワーウインドモータ１１では、モータ本体１２を単体で作動させることができるので、モータ本体１２を一極生産後、各拠点への輸送の前にその作動検査をすることができる。これにより、各拠点に作動信頼性の高いモータ本体１２を輸送することができる。
【００７５】
次に、本発明における他の実施の形態について、図面を用いて詳細に説明する。なお、上述した実施の形態と同様の機能を有する部分については、同一の符号を付し、その詳細な説明を省略する。図１３は他の実施の形態に係るブラシユニットを裏側から見た斜視図である。
【００７６】
他の実施の形態に係るブラシユニット８０は、上述した実施の形態に比して、ブラシユニット８０を構成するブラシホルダ２５のベース部２５ｂに、一対のブラシ２６を対向配置、つまり、互いにアマチュア軸１８（図１参照）の回転方向に沿って１８０度ずれるよう配置した点が異なっている。
【００７７】
各ブラシ２６は、略小判形状のベース部２５ｂにおける比較的大きなスペースを有する両方の円弧側（図中上下側）にそれぞれ設けられており、これに伴い、ベース部２５ｂにおける各ブラシ２６の近傍には、各ブラシ２６をコミュテータ２３（図１参照）に向けて付勢するスプリング３３がそれぞれ配置されている。また、各ブラシ２６に電気的に接続されるブラシ側接続端子７３の接続部７３ｂは、各リード板７４，７５，チョークコイル８１，コンデンサ８２，サーキットブレーカ７６等を介して電気的に接続されている。また、各リード板７４，７５は、ベース部２５ｂの軸心に形成された貫通孔３１を中心に対向するようにベース部２５ｂに一体的に設けられた各インサート部８３にインサート成形等によりインサートされている。なお、各電気的接続部はスポット溶接等によって接続されている。
【００７８】
このように、本実施の形態においては、上述した実施の形態に係る各接続部７３ｂよりも離間した位置に各接続部７３ｂを設けるようにしている。したがって、詳細は図示しないが、コネクタユニット４２にインサート成形される一対のコネクタ側接続端子７２（図５参照）を、各接続部７３ｂの間隔に対応させるようにして設けるようにする。なお、チョークコイル８１およびコンデンサ８２は、各ブラシ２６を介して外部に放射される電気ノイズを吸収する役割を果たすものである。
【００７９】
以上のように構成したブラシユニット８０を有するパワーウインドモータ１１においても、上述した実施の形態と同様の作用効果を奏することができる。これに加え、他の実施の形態によれば、各ブラシ２６をそれぞれ対向離間させて設けたので、各ブラシ２６に電気的に接続される各リード板７４，７５や各接続部７３ｂ等についてもそれぞれ離間させてブラシホルダ２５に配置でき、したがって、これらの電子部品をブラシホルダ２５に対して組み付け易くすることが可能となる。
【００８０】
本発明は前記実施の形態に限定されるものではなく、その要旨を逸脱しない範囲で種々変更可能であることはいうまでもない。例えば、前記実施の形態おいては、モータ本体１２にフレームユニット１３が取り付けられたパワーウインドモータ１１に本発明を適用しているが、これに限らず、例えば減速機４１を持たない電動モータに本発明を適用してもよい。この場合、モータヨーク１５の開口端にはギヤケース４３に換えてエンドケースが固定される。また、パワーウインド装置の駆動源に用いられるパワーウインドモータ１１に限らず、例えば、車体に設けられるスライドドア、バックドア、サンルーフ等の開閉体を自動的に駆動する車両用自動開閉装置の駆動源など、他の用途に用いられる電動モータに本発明を適用するようにしてもよい。
【００８１】
また、前記実施の形態においては、減速機構４５を構成するウォーム軸４６をアマチュア軸１８とは別体に形成するようにしているが、これに限らず、アマチュア軸１８をギヤケース４３の内部にまで達する長さ寸法に形成し、アマチュア軸１８の外周にウォーム４６ａを一体に形成するようにしてもよい。
【００８２】
さらに、前記実施の形態においては、ブラシ側接続端子７３を凹型に形成し、コネクタ側接続端子７２を凸型に形成するようにしているが、これに限らず、ブラシ側接続端子７３を凸型に形成し、コネクタ側接続端子７２を凹型に形成するようにしてもよい。
【００８３】
さらに、前記実施の形態においては、ブラシホルダ２５のリング部２５ａの軸方向端部をモータヨーク１５内面に設けられた段差部２８の当接面２８ａに当接させることにより、モータヨーク１５の内部に軸方向に位置決めし、モータヨーク１５とギヤケース４３との間にコネクタユニット４２の挟持部５２を挟持する際に、ブラシホルダ２５もモータヨーク１５の段差部２８と挟持部５２との間に挟持固定するようになっているが、これに限らず、リング部２５ａの軸方向端面に段差部２８と対向する位置、また、ベース部２５ｂの後述するコネクタユニット４２と対向する位置に変形可能な小突起を設けておき、モータヨーク１５の内部に軸方向に軽圧入した際に、リング部２５ａの突起が段差部２８に当接するよう構成しておき、モータヨーク１５とギヤケース４３との固定によってこれらの小突起を変形させることで、モータヨーク１５の段差部２８とコネクタユニット４２との間にブラシホルダ２５を挟持するようにしてもよい。
【００８４】
さらに、前記実施の形態においては、ブラシホルダ２５に一対のブラシ２６を保持するとともに、コネクタユニット４２に一対のコネクタ側接続端子７２を設け、ブラシホルダ２５には一対のコネクタ側接続端子７２に対向して一対のブラシ側接続端子７３を設けたものを示したが、これに限らず、例えばワイパ装置の駆動源として用いられるワイパモータのように、ブラシユニット２４に共通ブラシと低速運転用ブラシと高速運転用ブラシの３つのブラシ２６を設けるようにしてもよい。この場合、ブラシホルダ２５に３つのブラシ２６を設けるとともに、コネクタユニット４２に３つのコネクタ側接続端子７２を設け、ブラシホルダ２５には３つのコネクタ側接続端子７２に対向して３つのブラシ側接続端子７３を設けるように構成することもできる。
【図面の簡単な説明】
【００８５】
【図１】本発明の一実施の形態であるパワーウインドモータの横断面図である。
【図２】図１に示すモータ本体の詳細を示す斜視図である。
【図３】図１に示すブラシユニットの詳細を示す斜視図である。
【図４】ブラシホルダのモータヨークの内部への位置決め構造を示す断面図である。
【図５】図１に示すフレームユニットの詳細を示す斜視図である。
【図６】図５に示すコネクタユニットの詳細を示す斜視図である。
【図７】ブラシ側接続端子とコネクタ側接続端子との接続部分の詳細を示す断面図である。
【図８】図１に示すパワーウインドモータの製造工程を示す工程図である。
【図９】（ａ）、（ｂ）はそれぞれモータ本体の組み立て工程を示す図である。
【図１０】（ａ）、（ｂ）はそれぞれフレームユニットの組み立て工程を示す図である。
【図１１】（ａ）、（ｂ）はそれぞれモータ本体とフレームユニットの組み付け工程を示す図である。
【図１２】コネクタ部の仕様が相違する２種類のパワーウインドモータの製造方法について説明する図である。
【図１３】他の実施の形態に係るブラシユニットを裏側から見た斜視図である。
【符号の説明】
【００８６】
１１  パワーウインドモータ（ブラシ付き電動モータ）
１２  モータ本体
１３  フレームユニット
１４  ステータ
１５  モータヨーク（モータケース）
１５ａ  底壁部
１５ｂ  フランジ部
１５ｃ  軸受支持部
１５ｄ  ねじ孔
１５ｅ  円弧面
１５ｆ  平坦面
１６  マグネット（界磁部）
１７  アマチュア
１８  アマチュア軸
１８ａ  連結凸部
１９  アマチュアコア
１９ａ  スロット
２１  軸受
２１ａ  スチールプレート
２１ｂ  スチールボール
２２  アマチュアコイル
２３  コミュテータ
２３ａ  セグメント片
２４  ブラシユニット
２５  ブラシホルダ
２５ａ  リング部
２５ｂ  ベース部
２６  ブラシ
２７  リブ
２８  段差部
２８ａ  当接面
３１  貫通孔
３２  軸受
３３  スプリング
４１  減速機
４２  コネクタユニット
４３  ギヤケース（エンドケース）
４３ａ  ガイド部
４３ｂ  ガイド部
４３ｃ  ねじ孔
４３ｄ  ナット孔
４４  締結部材
４５  減速機構
４６  ウォーム軸
４６ａ  ウォーム
４６ｂ  連結孔
４７  ウォームホイル
４８，４９  軸受
４９ａ  スチールボール
４９ｂ  スラストプレート
５１  出力軸
５２  挟持部
５３  コネクタ部
５４  平板部
５５，５６  スカート部
５７  リブ
５８  貫通孔
６１  センサ基板
６２  ホールセンサ
６３  リングマグネット
６４  係合孔
６５  係合突起
６６  シール部材
６７  連結部
７１  電源接続端子
７２  コネクタ側接続端子
７３  ブラシ側接続端子
７３ａ  接続孔
７３ｂ  接続部
７４，７５  リード板
７６  サーキットブレーカ
８０  ブラシユニット
８１  チョークコイル
８２  コンデンサ
８３  インサート部
【図１】
0005006713.tif 000002
【図２】
0005006713.tif 000003
【図３】
0005006713.tif 000004
【図４】
0005006713.tif 000005
【図５】
0005006713.tif 000006
【図６】
0005006713.tif 000007
【図７】
0005006713.tif 000008
【図８】
0005006713.tif 000009
【図９】
0005006713.tif 000010
【図１０】
0005006713.tif 000011
【図１１】
0005006713.tif 000012
【図１２】
0005006713.tif 000013
【図１３】
0005006713.tif 000014